(57)【要約】【課題】第１表示領域リンク先を特定する画像が選択された場合、他の画像が表示されている第２表示領域に、当該他の画像の代わりにリンク先の画像を表示させることを可能とする。【解決手段】電子機器１００は、液晶パネル１４０，２４０と、リンク先を特定する画像を含む第１画像を液晶パネル１４０の表示領域に表示させ、第２画像を液晶パネル２４０の表示領域に表示させる表示制御部１１と、リンク先を特定する画像が選択されたことを検知する検知部１３とを備える。リンク先を特定する画像が選択されたことが検知された場合、表示制御部１１は、リンク先の画像を取得して液晶パネル２４０の表示領域に表示させる画像を第２画像からリンク先の画像に切換えて表示させる。【選択図】図１５
2010176546.tif 000002
【特許請求の範囲】
【請求項１】
第１リンク先を特定する情報を含む第１表示情報を第１表示領域に表示させ、第２表示情報を第２表示領域に表示させる表示制御手段と、
前記第１リンク先を特定する情報が選択されたことを検知する検知手段とを備え、
前記第１リンク先を特定する情報が選択されたことが検知された場合、前記表示制御手段は、前記第１リンク先の表示情報を取得して前記第２表示領域に表示されている前記第２表示情報を前記第１リンク先の表示情報に切換えて表示させる、電子機器。
【請求項２】
前記検知手段は、さらに、
前記第１リンク先の表示情報に第２リンク先を特定する情報が含まれている場合、当該第２リンク先を特定する情報が選択されたことを検知し、
前記第２リンク先を特定する情報が選択されたことが検知された場合、前記表示制御手段は、前記第２リンク先の表示情報を取得して前記第１表示領域に表示されている前記第１表示情報を前記第２リンク先の表示情報に切換えて表示させる、請求項１に記載の電子機器。
【請求項３】
前記第１表示情報および前記第２表示情報は、それぞれウェブページである、請求項１または２に記載の電子機器。
【請求項４】
リンク先を特定する情報を含む第１表示情報を第１表示領域に表示させ、第２表示情報を第２表示領域に表示させる表示制御手段と、
前記リンク先を特定する情報が選択されたことを検知する検知手段と、
前記第１表示情報が属するグループを特定する第１識別子と前記リンク先の表示情報が属するグループを特定する第２識別子とに基づき、前記第１表示情報が属する第１グループと前記リンク先の表示情報が属する第２グループとが同じグループであるか否かを判断する判断手段とを備え、
前記リンク先を特定する情報が選択されたことが検知された場合、前記表示制御手段は、
前記判断手段における判断にて、前記第１グループと前記第２グループとが同じグループであると判断されると、前記リンク先の表示情報を取得して前記第２表示領域に表示されている表示情報を、前記第２表示情報から前記リンク先の表示情報に切換えて表示を行わせ、
前記判断手段における判断にて、前記第１グループと前記第２グループとが同じグループでないと判断されると、前記リンク先の表示情報を取得して前記第１表示領域に表示されている表示情報を、前記第１表示情報から前記リンク先の表示情報に切換えて表示させる、電子機器。
【請求項５】
リンク先を特定する情報を含む第１表示情報を第１表示領域に表示させ、第２表示情報を第２表示領域に表示させる表示制御手段と、
前記リンク先を特定する情報が選択されたことを検知する検知手段と、
前記第１表示情報が属するグループを特定する第１識別子と前記リンク先の表示情報が属するグループを特定する第２識別子とに基づき、前記第１表示情報が属する第１グループと前記リンク先の表示情報が属する第２グループとが同じグループであるか否かを判断する判断手段とを備え、
前記リンク先を特定する情報が選択されたことが検知された場合、前記表示制御手段は、
前記判断手段における判断にて、前記第１グループと前記第２グループとが同じグループであると判断されると、前記リンク先の表示情報を取得して前記第１表示領域に表示されている表示情報を、前記第１表示情報から前記リンク先の表示情報に切換えて表示を行わせ、
前記第１グループと前記第２グループとが同じグループでないと判断されると、前記リンク先の表示情報を取得して前記第２表示領域に表示されている表示情報を、前記第２表示情報から前記リンク先の表示情報に切換えて表示させる、電子機器。
【請求項６】
前記第１表示情報および前記第２表示情報は、それぞれウェブページであり、
前記第１識別子および前記第２識別子は、それぞれユニフォームリソースロケータである、請求項４または５に記載の電子機器。
【請求項７】
前記判断手段は、前記第１識別子である前記ユニフォームリソースロケータにおけるホスト名と、前記第２識別子である前記ユニフォームリソースロケータにおけるホスト名とに基づき、前記第１表示情報が属する第１グループと前記リンク先の表示情報が属する第２グループとが同じグループであるか否かを判断する、請求項６に記載の電子機器。
【請求項８】
リンク先を特定する情報を含む第１表示情報を第１表示領域に表示させ、第２表示情報を第２表示領域に表示させる表示制御手段と、
前記リンク先を特定する情報が選択されたことを検知する検知手段と、
前記第１表示情報が格納されている場所を示した第１識別子と前記リンク先の表示情報が格納されている場所を示した第２識別子とに基づき、前記リンク先の表示情報が格納されている場所の階層が前記第１表示情報が格納されている場所の階層より上位の階層であるか否かを判断する判断手段とを備え、
前記表示制御手段は、
前記リンク先の表示情報が格納されている場所の階層が前記第１表示情報が格納されている場所の階層より上位の階層であると判断された場合、前記リンク先の表示情報を取得して前記第１表示領域に表示させる表示情報を、前記第１表示情報から前記リンク先の表示情報に切換えて表示を行わせ、
前記リンク先の表示情報の階層が前記第１表示情報の階層より上位の階層でないと判断された場合、前記リンク先の表示情報を取得して前記第２表示領域に表示させる表示情報を、前記第２表示情報から前記リンク先の表示情報に切換えて表示させる、電子機器。
【請求項９】
前記第１表示情報および前記第２表示情報は、それぞれウェブページであり、
前記第１識別子および前記第２識別子は、それぞれユニフォームリソースロケータである、請求項８に記載の電子機器。
【請求項１０】
前記判断手段は、前記第１識別子である前記ユニフォームリソースロケータにおける、ホスト名およびパス名と、前記第２識別子である前記ユニフォームリソースロケータにおける、ホスト名およびパス名とに基づき、前記リンク先の表示情報の階層が前記第１表示情報の階層より上位の階層であるか否かを判断する、請求項９に記載の電子機器。
【請求項１１】
リンク先を特定する情報を含む第１表示情報を第１表示領域に表示させ、第２表示情報を第２表示領域に表示させる表示制御手段と、
前記リンク先を特定する情報が選択されたことを検知する検知手段とを備え、
前記検知手段は、
前記第１表示領域における、前記リンク先を特定する情報が表示された位置に物体が接触したことを検出することにより、当該リンク先を特定する情報が選択されたことを検知するとともに、前記接触の状態をさらに検知し、
前記表示制御手段は、
前記接触の状態が第１状態である場合、前記リンク先の表示情報を取得して前記第１表示領域に表示させる表示情報を、前記第１表示情報から前記リンク先の表示情報に切換えて表示を行わせ、
前記接触の状態が第２状態である場合、前記リンク先の表示情報を取得して前記第２表示領域に表示させる表示情報を、前記第２表示情報から前記リンク先の表示情報に切換えて表示させる、電子機器。
【請求項１２】
前記第１状態および前記第２状態のいずれか一方の状態は、前記第１表示領域上を前記物体が当該第１表示領域に対して相対的に第１方向に移動した際の接触の状態である、請求項１１に記載の電子機器。
【請求項１３】
前記いずれか一方の状態とは異なる他方の状態は、前記第１表示領域上を前記物体が当該第１表示領域に対して相対的に前記第１方向とは異なる第２方向に移動した際の接触の状態、または前記第１表示領域上において前記物体が停止している状態である、請求項１２に記載の電子機器。
【請求項１４】
前記電子機器は、前記接触した時間を測定する測定手段をさらに備え、
前記第１状態および前記第２状態のいずれか一方の状態は、前記測定された時間が予め定められた時間以上である場合の接触の状態であり、
前記いずれか一方の状態とは異なる他方の状態は、前記測定された時間が予め定められた時間未満である場合の接触の状態である、請求項１１に記載の電子機器。
【請求項１５】
前記電子機器は、さらに、少なくとも第１表示領域を含むタッチパネルを備え、
前記タッチパネルは、前記第１表示領域に沿って内蔵された複数の光センサを含む、請求項１から１４のいずれか１項に記載の電子機器。
【請求項１６】
前記電子機器は、さらに、異なる位置に配された、第１タッチパネルと第２タッチパネルとを備え、
前記第１タッチパネルは前記第１表示領域を含み、前記第２タッチパネルは前記第２表示領域を含む、請求項１から１５のいずれか１項に記載の電子機器。
【請求項１７】
電子機器における表示制御方法であって、
前記表示制御方法は、
第１リンク先を特定する情報を含む第１表示情報を第１表示領域に表示させ、第２表示情報を第２表示領域に表示させるステップと、
前記第１リンク先を特定する情報が選択されたことを検知するステップと、
前記第１リンク先を特定する情報が選択されたことが検知された場合、前記第１リンク先の表示情報を取得して前記第２表示領域に表示されている前記第２表示情報を前記第１リンク先の表示情報に切換えて表示させるステップとを備える、表示制御方法。
【請求項１８】
電子機器における表示制御方法であって、
前記表示制御方法は、
リンク先を特定する情報を含む第１表示情報を第１表示領域に表示させ、第２表示情報を第２表示領域に表示させるステップと、
前記リンク先を特定する情報が選択されたことを検知するステップと、
前記第１表示情報が属するグループを特定する第１識別子と前記リンク先の表示情報が属するグループを特定する第２識別子とに基づき、前記第１表示情報が属する第１グループと前記リンク先の表示情報が属する第２グループとが同じグループであるか否かを判断するステップと、
前記リンク先を特定する情報が選択されたことが検知された場合、
前記判断するステップにて、前記第１グループと前記第２グループとが同じグループであると判断されると、前記リンク先の表示情報を取得して前記第２表示領域に表示されている表示情報を、前記第２表示情報から前記リンク先の表示情報に切換えて表示を行わせ、
前記判断するステップにて、前記第１グループと前記第２グループとが同じグループでないと判断されると、前記リンク先の表示情報を取得して前記第１表示領域に表示されている表示情報を、前記第１表示情報から前記リンク先の表示情報に切換えて表示させるステップとを備える、表示制御方法。
【請求項１９】
電子機器における表示制御方法であって、
前記表示制御方法は、
リンク先を特定する情報を含む第１表示情報を第１表示領域に表示させ、第２表示情報を第２表示領域に表示させるステップと、
前記リンク先を特定する情報が選択されたことを検知するステップと、
前記第１表示情報が属するグループを特定する第１識別子と前記リンク先の表示情報が属するグループを特定する第２識別子とに基づき、前記第１表示情報が属する第１グループと前記リンク先の表示情報が属する第２グループとが同じグループであるか否かを判断するステップとを備え、
前記リンク先を特定する情報が選択されたことが検知された場合、
前記判断するステップにて、前記第１グループと前記第２グループとが同じグループであると判断されると、前記リンク先の表示情報を取得して前記第１表示領域に表示されている表示情報を、前記第１表示情報から前記リンク先の表示情報に切換えて表示を行わせ、
前記判断するステップにて、前記第１グループと前記第２グループとが同じグループでないと判断されると、前記リンク先の表示情報を取得して前記第２表示領域に表示されている表示情報を、前記第２表示情報から前記リンク先の表示情報に切換えて表示させるステップとを備える、表示制御方法。
【請求項２０】
電子機器における表示制御方法であって、
前記表示制御方法は、
リンク先を特定する情報を含む第１表示情報を第１表示領域に表示させ、第２表示情報を第２表示領域に表示させるステップと、
前記リンク先を特定する情報が選択されたことを検知するステップと、
前記第１表示情報が格納されている場所を示した第１識別子と前記リンク先の表示情報が格納されている場所を示した第２識別子とに基づき、前記リンク先の表示情報が格納されている場所の階層が前記第１表示情報が格納されている場所の階層より上位の階層であるか否かを判断するステップと、
前記リンク先の表示情報が格納されている場所の階層が前記第１表示情報が格納されている場所の階層より上位の階層であると判断された場合、前記リンク先の表示情報を取得して前記第１表示領域に表示させる表示情報を、前記第１表示情報から前記リンク先の表示情報に切換えて表示を行わせ、前記リンク先の表示情報の階層が前記第１表示情報の階層より上位の階層でないと判断された場合、前記リンク先の表示情報を取得して前記第２表示領域に表示させる表示情報を、前記第２表示情報から前記リンク先の表示情報に切換えて表示させるステップとを備える、表示制御方法。
【請求項２１】
電子機器における表示制御方法であって、
前記表示制御方法は、
リンク先を特定する情報を含む第１表示情報を第１表示領域に表示させ、第２表示情報を第２表示領域に表示させるステップと、
前記リンク先を特定する情報が選択されたことを検知するステップとを備え、
前記検知するステップは、前記第１表示領域における、前記リンク先を特定する情報が表示された位置に物体が接触したことを検出することにより、当該リンク先を特定する情報が選択されたことを検知するとともに、前記接触の状態をさらに検知し、
前記表示制御方法は、さらに、
前記接触の状態が第１状態である場合、前記リンク先の表示情報を取得して前記第１表示領域に表示させる表示情報を、前記第１表示情報から前記リンク先の表示情報に切換えて表示を行わせ、前記接触の状態が第２状態である場合、前記リンク先の表示情報を取得して前記第２表示領域に表示させる表示情報を、前記第２表示情報から前記リンク先の表示情報に切換えて表示させるステップを備える、表示制御方法。
【発明の詳細な説明】
【技術分野】
【０００１】
本発明は、タッチパネルを備えた電子機器、および電子機器における表示制御方法に関する。
【背景技術】
【０００２】
従来、インターネットに接続可能なパーソナルコンピュータが知られている。当該パーソナルコンピュータは、表示している第１ウェブページとは異なる第２ウェブページを表示する場合、第１ウェブページが表示されているウィンドウに第１ウェブページの代わりに第２ウェブページを表示する。また、当該パーソナルコンピュータは、異なるウィンドウに、互いに異なるウェブページを表示可能である。
【０００３】
ウェブページの表示に関し、たとえば特許文献１には、第１ウェブページを持続的に表示し、第１ウェブページに含まれたリンクに進むことによって作成された第２ウェブページを第１ウェブページに隣接して同時に表示する表示制御装置が開示されている。第２ウェブページを表示する際、表示制御装置は、当該第２ウェブページを表示するウィンドウを新たに生成する。
【０００４】
特許文献２には、インターネットを介して情報検索して得られた結果とリンク関係にあるホームページをブラウザ表示する方法が開示されている。当該方法によれば、上記結果のうちユーザにより選択された結果とリンク関係にある各ホームページが、それぞれ別画面として、所定の時間間隔で順次表示される。
【先行技術文献】
【特許文献】
【０００５】
【特許文献１】特開平１０−９１３８３号公報
【特許文献２】特開２００２−３６６５８０号公報
【発明の概要】
【発明が解決しようとする課題】
【０００６】
しかしながら、異なる表示領域の各々に１つのウィンドウが表示されている場合、いずれか一方のウィンドウにおいてリンク先を特定する画像が選択されたときに、従来のパーソナルコンピュータ、特許文献１の装置、および特許文献２の方法は、他方のウィンドウに当該リンク先の画像を表示させることはできない。
【０００７】
本願発明は、上記の問題点に鑑みなされたものであって、その目的は、第１表示領域においてリンク先を特定する画像（情報）が選択された場合、他の画像（表示情報）が表示されている第２表示領域に、当該他の画像の代わりにリンク先の画像（表示情報）を表示することが可能な電子機器を提供することにある。他の目的は、当該電子機器における表示制御方法を提供することにある。
【課題を解決するための手段】
【０００８】
本発明のある局面に従うと、電子機器は、第１リンク先を特定する情報を含む第１表示情報を第１表示領域に表示させ、第２表示情報を第２表示領域に表示させる表示制御手段と、第１リンク先を特定する情報が選択されたことを検知する検知手段とを備え、第１リンク先を特定する情報が選択されたことが検知された場合、表示制御手段は、第１リンク先の表示情報を取得して第２表示領域に表示されている第２表示情報を第１リンク先の表示情報に切換えて表示させる。
【０００９】
好ましくは、検知手段は、さらに、第１リンク先の表示情報に第２リンク先を特定する情報が含まれている場合、当該第２リンク先を特定する情報が選択されたことを検知し、第２リンク先を特定する情報が選択されたことが検知された場合、表示制御手段は、第２リンク先の表示情報を取得して第１表示領域に表示されている第１表示情報を第２リンク先の表示情報に切換えて表示させる。
【００１０】
好ましくは、第１表示情報および第２表示情報は、それぞれウェブページである。
本発明の他の局面に従うと、電子機器は、リンク先を特定する情報を含む第１表示情報を第１表示領域に表示させ、第２表示情報を第２表示領域に表示させる表示制御手段と、リンク先を特定する情報が選択されたことを検知する検知手段と、第１表示情報が属するグループを特定する第１識別子とリンク先の表示情報が属するグループを特定する第２識別子とに基づき、第１表示情報が属する第１グループとリンク先の表示情報が属する第２グループとが同じグループであるか否かを判断する判断手段とを備え、リンク先を特定する情報が選択されたことが検知された場合、表示制御手段は、判断手段における判断にて、第１グループと第２グループとが同じグループであると判断されると、リンク先の表示情報を取得して第２表示領域に表示されている表示情報を、第２表示情報からリンク先の表示情報に切換えて表示を行わせ、判断手段における判断にて、第１グループと第２グループとが同じグループでないと判断されると、リンク先の表示情報を取得して第１表示領域に表示されている表示情報を、第１表示情報からリンク先の表示情報に切換えて表示させる。
【００１１】
本発明のさらに他の局面に従うと、電子機器は、リンク先を特定する情報を含む第１表示情報を第１表示領域に表示させ、第２表示情報を第２表示領域に表示させる表示制御手段と、リンク先を特定する情報が選択されたことを検知する検知手段と、第１表示情報が属するグループを特定する第１識別子とリンク先の表示情報が属するグループを特定する第２識別子とに基づき、第１表示情報が属する第１グループとリンク先の表示情報が属する第２グループとが同じグループであるか否かを判断する判断手段とを備え、リンク先を特定する情報が選択されたことが検知された場合、表示制御手段は、判断手段における判断にて、第１グループと第２グループとが同じグループであると判断されると、リンク先の表示情報を取得して第１表示領域に表示されている表示情報を、第１表示情報からリンク先の表示情報に切換えて表示を行わせ、第１グループと第２グループとが同じグループでないと判断されると、リンク先の表示情報を取得して第２表示領域に表示されている表示情報を、第２表示情報からリンク先の表示情報に切換えて表示させる。
【００１２】
好ましくは、第１表示情報および第２表示情報は、それぞれウェブページであり、第１識別子および第２識別子は、それぞれユニフォームリソースロケータである。
【００１３】
好ましくは、判断手段は、第１識別子である前記ユニフォームリソースロケータにおけるホスト名と、第２識別子であるユニフォームリソースロケータにおけるホスト名とに基づき、第１表示情報が属する第１グループとリンク先の表示情報が属する第２グループとが同じグループであるか否かを判断する。
【００１４】
本発明のさらに他の局面に従うと、リンク先を特定する情報を含む第１表示情報を第１表示領域に表示させ、第２表示情報を第２表示領域に表示させる表示制御手段と、リンク先を特定する情報が選択されたことを検知する検知手段と、第１表示情報が格納されている場所を示した第１識別子とリンク先の表示情報が格納されている場所を示した第２識別子とに基づき、リンク先の表示情報が格納されている場所の階層が第１表示情報が格納されている場所の階層より上位の階層であるか否かを判断する判断手段とを備え、表示制御手段は、リンク先の表示情報が格納されている場所の階層が第１表示情報が格納されている場所の階層より上位の階層であると判断された場合、リンク先の表示情報を取得して第１表示領域に表示させる表示情報を、第１表示情報からリンク先の表示情報に切換えて表示を行わせ、リンク先の表示情報の階層が第１表示情報の階層より上位の階層でないと判断された場合、リンク先の表示情報を取得して第２表示領域に表示させる表示情報を、第２表示情報からリンク先の表示情報に切換えて表示させる。
【００１５】
好ましくは、第１表示情報および第２表示情報は、それぞれウェブページであり、第１識別子および第２識別子は、それぞれユニフォームリソースロケータである。
【００１６】
好ましくは、判断手段は、第１識別子であるユニフォームリソースロケータにおける、ホスト名およびパス名と、第２識別子であるユニフォームリソースロケータにおける、ホスト名およびパス名とに基づき、リンク先の表示情報の階層が第１表示情報の階層より上位の階層であるか否かを判断する。
【００１７】
本発明のさらに他の局面に従うと、リンク先を特定する情報を含む第１表示情報を第１表示領域に表示させ、第２表示情報を第２表示領域に表示させる表示制御手段と、リンク先を特定する情報が選択されたことを検知する検知手段とを備え、検知手段は、第１表示領域における、リンク先を特定する情報が表示された位置に物体が接触したことを検出することにより、当該リンク先を特定する情報が選択されたことを検知するとともに、接触の状態をさらに検知し、表示制御手段は、接触の状態が第１状態である場合、リンク先の表示情報を取得して第１表示領域に表示させる表示情報を、第１表示情報からリンク先の表示情報に切換えて表示を行わせ、接触の状態が第２状態である場合、リンク先の表示情報を取得して第２表示領域に表示させる表示情報を、第２表示情報からリンク先の表示情報に切換えて表示させる。
【００１８】
好ましくは、第１状態および第２状態のいずれか一方の状態は、第１表示領域上を物体が当該第１表示領域に対して相対的に第１方向に移動した際の接触の状態である。
【００１９】
好ましくは、いずれか一方の状態とは異なる他方の状態は、第１表示領域上を物体が当該第１表示領域に対して相対的に第１方向とは異なる第２方向に移動した際の接触の状態、または第１表示領域上において物体が停止している状態である。
【００２０】
好ましくは、電子機器は、接触した時間を測定する測定手段をさらに備え、第１状態および第２状態のいずれか一方の状態は、測定された時間が予め定められた時間以上である場合の接触の状態であり、いずれか一方の状態とは異なる他方の状態は、測定された時間が予め定められた時間未満である場合の接触の状態である。
【００２１】
好ましくは、電子機器は、さらに、少なくとも第１表示領域を含むタッチパネルを備え、タッチパネルは、第１表示領域に沿って内蔵された複数の光センサを含む。
【００２２】
好ましくは、電子機器は、さらに、異なる位置に配された、第１タッチパネルと第２タッチパネルとを備え、第１タッチパネルは第１表示領域を含み、第２タッチパネルは第２表示領域を含む。
【００２３】
本発明のさらに他の局面に従うと、表示制御方法は、電子機器における表示制御方法であって、第１リンク先を特定する情報を含む第１表示情報を第１表示領域に表示させ、第２表示情報を第２表示領域に表示させるステップと、第１リンク先を特定する情報が選択されたことを検知するステップと、第１リンク先を特定する情報が選択されたことが検知された場合、第１リンク先の表示情報を取得して第２表示領域に表示されている第２表示情報を第１リンク先の表示情報に切換えて表示させるステップとを備える。
【００２４】
本発明のさらに他の局面に従うと、表示制御方法は、電子機器における表示制御方法であって、リンク先を特定する情報を含む第１表示情報を第１表示領域に表示させ、第２表示情報を第２表示領域に表示させるステップと、リンク先を特定する情報が選択されたことを検知するステップと、第１表示情報が属するグループを特定する第１識別子とリンク先の表示情報が属するグループを特定する第２識別子とに基づき、第１表示情報が属する第１グループとリンク先の表示情報が属する第２グループとが同じグループであるか否かを判断するステップと、リンク先を特定する情報が選択されたことが検知された場合、判断するステップにて、第１グループと第２グループとが同じグループであると判断されると、リンク先の表示情報を取得して第２表示領域に表示されている表示情報を、第２表示情報からリンク先の表示情報に切換えて表示を行わせ、判断するステップにて、第１グループと第２グループとが同じグループでないと判断されると、リンク先の表示情報を取得して第１表示領域に表示されている表示情報を、第１表示情報からリンク先の表示情報に切換えて表示させるステップとを備える。
【００２５】
本発明のさらに他の局面に従うと、表示制御方法は、電子機器における表示制御方法であって、リンク先を特定する情報を含む第１表示情報を第１表示領域に表示させ、第２表示情報を第２表示領域に表示させるステップと、リンク先を特定する情報が選択されたことを検知するステップと、第１表示情報が属するグループを特定する第１識別子とリンク先の表示情報が属するグループを特定する第２識別子とに基づき、第１表示情報が属する第１グループとリンク先の表示情報が属する第２グループとが同じグループであるか否かを判断するステップとを備え、リンク先を特定する情報が選択されたことが検知された場合、判断するステップにて、第１グループと第２グループとが同じグループであると判断されると、リンク先の表示情報を取得して第１表示領域に表示されている表示情報を、第１表示情報からリンク先の表示情報に切換えて表示を行わせ、判断するステップにて、第１グループと第２グループとが同じグループでないと判断されると、リンク先の表示情報を取得して第２表示領域に表示されている表示情報を、第２表示情報からリンク先の表示情報に切換えて表示させるステップとを備える。
【００２６】
本発明のさらに他の局面に従うと、表示制御方法は、電子機器における表示制御方法であって、リンク先を特定する情報を含む第１表示情報を第１表示領域に表示させ、第２表示情報を第２表示領域に表示させるステップと、リンク先を特定する情報が選択されたことを検知するステップと、第１表示情報が格納されている場所を示した第１識別子とリンク先の表示情報が格納されている場所を示した第２識別子とに基づき、リンク先の表示情報が格納されている場所の階層が第１表示情報が格納されている場所の階層より上位の階層であるか否かを判断するステップと、リンク先の表示情報が格納されている場所の階層が第１表示情報が格納されている場所の階層より上位の階層であると判断された場合、リンク先の表示情報を取得して第１表示領域に表示させる表示情報を、第１表示情報からリンク先の表示情報に切換えて表示を行わせ、リンク先の表示情報の階層が第１表示情報の階層より上位の階層でないと判断された場合、リンク先の表示情報を取得して第２表示領域に表示させる表示情報を、第２表示情報からリンク先の表示情報に切換えて表示させるステップとを備える。
【００２７】
本発明のさらに他の局面に従うと、表示制御方法は、電子機器における表示制御方法であって、リンク先を特定する情報を含む第１表示情報を第１表示領域に表示させ、第２表示情報を第２表示領域に表示させるステップと、リンク先を特定する情報が選択されたことを検知するステップとを備え、検知するステップは、第１表示領域における、リンク先を特定する情報が表示された位置に物体が接触したことを検出することにより、当該リンク先を特定する情報が選択されたことを検知するとともに、接触の状態をさらに検知し、表示制御方法は、さらに、接触の状態が第１状態である場合、リンク先の表示情報を取得して第１表示領域に表示させる表示情報を、第１表示情報からリンク先の表示情報に切換えて表示を行わせ、接触の状態が第２状態である場合、リンク先の表示情報を取得して第２表示領域に表示させる表示情報を、第２表示情報からリンク先の表示情報に切換えて表示させるステップを備える。
【発明の効果】
【００２８】
第１表示領域においてリンク先を特定する画像が選択された場合、電子機器は、他の画像が表示されている第２表示領域に、上記他の画像の代わりにリンク先の画像を表示させることができる。
【図面の簡単な説明】
【００２９】
【図１】電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】センシングコマンドの概略構成を示した図である。
【図８】センシングコマンドの各領域におけるデータの値と、当該値が示す意味内容とを示した図である。
【図９】応答データの概略構成を示した図である。
【図１０】指をスキャンすることにより得られた画像を示した図である。
【図１１】他の光センサ内蔵液晶パネルの回路図である。
【図１２】スキャンの際にフォトダイオードが外光を受光する構成を示した断面図である。
【図１３】他の電子機器のハードウェア構成を表すブロック図である。
【図１４】通信システムの構成を示した図である。
【図１５】電子機器の機能ブロックを示した図である。
【図１６】一方の液晶パネルの表示領域にウェブページが表示され、他方の液晶パネルの表示領域に他のウェブページが表示された状態を示した図である。
【図１７】図１６の状態で画像が選択されたことを検知した場合において、各液晶パネルの表示領域に表示される内容を示した図である。
【図１８】図１７の状態で他の画像が選択されたことを検知した場合において、各液晶パネルの表示領域に表示される内容を示した図である。
【図１９】電子機器の処理のフローを示したフローチャートである。
【図２０】電子機器の機能を一部変更した他の電子機器の機能ブロックを示した図である。
【図２１】一方の液晶パネルの表示領域にウェブページが表示され、他方の液晶パネルの表示領域に他のウェブページが表示された状態を示した図である。
【図２２】図２１の状態で画像が選択されたことを検知した場合において、各液晶パネルの表示領域に表示される内容を示した図である。
【図２３】図２１の状態で他の画像が選択されたことを検知した場合において、各液晶パネルの表示領域に表示される内容を示した図である。
【図２４】他の電子機器の処理のフローを示したフローチャートである。
【図２５】電子機器の機能を一部変更したさらに他の電子機器の機能ブロックを示した図である。
【図２６】一方の液晶パネルの表示領域にウェブページが表示され、他方の液晶パネルの表示領域に他のウェブページが表示された状態を示した図である。
【図２７】図２６の状態で画像が選択されたことを検知した場合において、各液晶パネルの表示領域に表示される内容を示した図である。
【図２８】図２６の状態で他の画像が選択されたことを検知した場合において、各液晶パネルの表示領域に表示される内容を示した図である。
【図２９】さらに他の電子機器の処理のフローを示したフローチャートである。
【図３０】電子機器の機能を一部変更したさらに他の電子機器の機能ブロックを示した図である。
【図３１】一方の液晶パネルの表示領域にウェブページが表示され、他方の液晶パネルの表示領域に他のウェブページが表示された状態を示した図である。
【図３２】スタイラスペンが一方の矢印の方向に移動した場合に、液晶パネルの各表示領域に表示される内容を示した図である。
【図３３】スタイラスペンが他方の矢印の方向に移動した場合に、液晶パネルの各表示領域に表示される内容を示した図である。
【図３４】さらに他の電子機器の処理のフローを示したフローチャートである。
【図３５】さらに他の電子機器の機能を一部変更したさらに他の電子機器の機能ブロックを示した図である。
【発明を実施するための形態】
【００３０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３１】
本発明に係る電子機器の一実施態様について、図１から図３５を参照して説明すると以下のとおりである。
【００３２】
＜電子機器の外観＞
図１は、本実施の形態に係る電子機器１００の外観を示した図である。図１を参照して、電子機器１００は、第１の筐体１００Ａと第２の筐体１００Ｂとを含む。
【００３３】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００３４】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００３５】
＜ハードウェア構成について＞
次に、図２を参照して、電子機器１００の具体的構成の一態様について説明する。図２は、電子機器１００のハードウェア構成を表わすブロック図である。電子機器１００は、主たる構成要素として、本体装置１０１と、表示装置１０２と、表示装置１０３とを含む。
【００３６】
第１の筐体１００Ａは、表示装置１０２を含む。第２の筐体１００Ｂは、本体装置１０１と表示装置１０３とを含む。なお、電子機器１００は、第２の筐体１００Ｂの代わりに第１の筐体１００Ａに本体装置１０１を含んでもよい。
【００３７】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００３８】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００３９】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４０】
ドライバ１３０は、液晶パネル１４０およびバックライト１７９を駆動するための駆動回路である。ドライバ１３０に含まれる各種の駆動回路については、後述する。
【００４１】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４２】
内部ＩＦ（Interface）１７８は、本体装置１０１と表示装置１０２との間で、データの遣り取りを仲介する。
【００４３】
バックライト１７９は、液晶パネル１４０の裏面に配置された光源である。バックライト１７９は、当該裏面に対して均一な光を照射する。
【００４４】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４５】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４６】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４７】
上記コマンドは、上記光センサによりセンシングを指示するセンシングコマンドを含む。当該センシングコマンドの詳細および上記応答データの詳細については、後述する（図７〜図９）。
【００４８】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００４９】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５０】
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００５１】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００５２】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００５３】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００５４】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００５５】
ここでいうプログラムとは、ＣＰＵにより直接実行可能なプログラムだけでなく、ソースプログラム形式のプログラム、圧縮処理されたプログラム、暗号化されたプログラム等を含む。
【００５６】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００５７】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００５８】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００５９】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００６０】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００６１】
なお、ここでは、いわゆる線順次方式と呼ばれる駆動方式を用いて説明したが、駆動方式はこれに限定されるものではない。
【００６２】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００６３】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００６４】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００６５】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００６６】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００６７】
光センサ駆動回路１３３は、図２に示すドライバ制御部１８１から制御信号ＴＣ２を受ける。
【００６８】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００６９】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００７０】
なお、電圧ＶＤＤＲを印加するタイミング、および電圧ＶＤＤを印加するタイミングについては、後述する。
【００７１】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００７２】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００７３】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００７４】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００７５】
アンプ１３５は、各センサ信号線（ＳＳ１〜ＳＳｎ）から出力された電圧を増幅する。なお、増幅された電圧は、図２に示した信号処理部１８３に送られる。
【００７６】
なお、画素回路１４１を用いて画像を液晶パネル１４０に表示させるタイミングと、光センサ回路１４４を用いてセンシングするタイミングとについては、画像処理エンジン１８０が制御する。
【００７７】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００７８】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００７９】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００８０】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００８１】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００８２】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００８３】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００８４】
なお、フォトダイオード１４５の位置は、上記の位置に限定されるものではなく、カラーフィルタ１５３ｒに対向する位置やカラーフィルタ１５３ｇに対向する位置に設けることも可能である。
【００８５】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００８６】
以下では、光センサ回路１４４をリセットするためのリセット期間と、光センサ回路１４４を用いて光をセンシングするためのセンシング期間と、センシングした結果を読み出す読出期間とに分けて説明する。
【００８７】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００８８】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００８９】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００９０】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００９１】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００９２】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００９３】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００９４】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００９５】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００９６】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００９７】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００９８】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００９９】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１００】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１０１】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１０２】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１０３】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１０４】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１０５】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１０６】
図６は、液晶パネル１４０とバックライト１７９との断面図であって、スキャンの際にフォトダイオード１４５がバックライト１７９からの光を受光する構成を示した図である。
【０１０７】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１０８】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１０９】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１１０】
以上により、表示装置１０２は、指９００によって光が反射されることにより得られる像（以下、反射像とも称する）をスキャンすることができる。
【０１１１】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１１２】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１１３】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１１４】
図８は、センシングコマンドの各領域におけるデータの値と、当該値が示す意味内容とを示した図である。
【０１１５】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１１６】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１１７】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１１８】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１１９】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１２）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１２０】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１２１】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１２２】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１２３】
図９は、応答データの概略構成を示した図である。応答データは、センシングコマンドの内容に応じたデータであって、表示装置１０２の画像処理エンジン１８０が本体装置１０１に対して送信するデータである。
【０１２４】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１２５】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１２６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１２７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１２８】
ただし、必ずしも中心座標の位置は上記に限定されるものではなく、中心座標を上記図心の座標あるいは図心の近傍の座標としてもよい。
【０１２９】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１３０】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１３１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１３２】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１３３】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１３４】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１３５】
＜構成の第１の変形例について＞
ところで、液晶パネル１４０の構成は、図３に示した構成に限定されるものではない。以下では、図３とは異なる態様の液晶パネルについて説明する。
【０１３６】
図１１は、上記異なる態様である光センサ内蔵液晶パネル１４０Ａの回路図である。図１１を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１３７】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１３８】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１３９】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１４０】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１４１】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１４２】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１４３】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１４４】
以上述べたように、電子機器１００が液晶パネル１４０Ａを備えた構成とすることにより、スキャン対象物をカラーでスキャンできることになる。
【０１４５】
次に、図１２を参照して、前述のスキャンの方法（つまり、図６における反射像をスキャンする方法）とは異なるスキャンの方法について説明する。
【０１４６】
図１２は、スキャンの際にフォトダイオードが外光を受光する構成を示した断面図である。図１２に示されるように、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１４７】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１４８】
以上により、表示装置１０２は、指９００によって外光が遮られることにより得られる像（以下、影像とも称する）をスキャンすることができる。
【０１４９】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１５０】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１５１】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１５２】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１５３】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１５４】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０１５５】
図１３は、電子機器１３００のハードウェア構成を表すブロック図である。電子機器１３００は、電子機器１００と同様、第１の筐体１００Ａと、第２の筐体１００Ｂとを含む。第１の筐体１００Ａは、表示装置１０２を含む。第２の筐体１００Ｂは、光センサを内蔵しない液晶パネル（つまり、表示機能のみを有する液晶パネル）を含む。電子機器１３００は、第２の筐体１００Ｂが光センサを内蔵しない液晶パネルを含む点で、第２の筐体１００Ｂが光センサを内蔵した液晶パネル２４０を含む電子機器１００と異なる。このような電子機器１３００は、第１の筐体１００Ａの表示装置１０２を用いて上述したセンシングを行う。
【０１５６】
また、第２の筐体１００Ｂは、光センサを内蔵した液晶パネル２４０の代わりに、たとえば抵抗膜方式や静電容量方式のタッチパネルを備えてもよい。
【０１５７】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０１５８】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０１５９】
＜システム構成＞
図１４は、本実施の形態に係る通信システム１の構成を示した図である。図１４を参照して、通信システム１は、電子機器１００，７００１〜７００３とサーバ装置８００１〜８００３とを含む。各電子機器１００，７００１〜７００３は、それぞれ接続したサーバ装置８００１〜８００３を経由して、インターネットに接続する。
【０１６０】
＜＜具体的な第１実現例＞＞
第１実現例の電子機器１００は、一方の液晶パネル（たとえば液晶パネル１４０）の表示領域に表示されたリンク先を特定する画像が選択されたことを検知すると、他の画像が表示されている他方の液晶パネル（たとえば液晶パネル２４０）の表示領域に、当該他の画像の代わりに当該リンク先の画像を表示する。以下、当該電子機器１００の詳細な構成について説明する。
【０１６１】
ここで、「画像」とは、液晶パネル１４０，２４０の表示面に出力（つまり表示）されている情報（表示情報）のことである。つまり、「画像」は、絵、写真、文字列などを含む概念である。後述する、第２実現例、第３実現例、および第４実現例においても、同様である。
【０１６２】
＜機能ブロック＞
図１５は、電子機器１００の機能ブロックを示した図である。図１５を参照して、電子機器１００は、制御部１０と、記憶装置９０と、液晶パネル１４０，２４０とを備える。制御部１０は、表示制御部１１と、データ受付部１２と、検知部１３とを備える。なお、記憶装置９０は、ＲＡＭ１７１やハードディスク（図示せず）により構成される。
【０１６３】
表示制御部１１は、記憶装置９０内のＶＲＡＭ（図示せず）に格納された画像データに基づき、液晶パネル１４０,２４０の表示領域に画像を表示させる。表示制御部１１は、液晶パネル１４０の表示領域において表示されている画像の当該表示領域での位置を示した位置情報と、液晶パネル２４０の表示領域において表示されている画像の当該表示領域での位置を示した位置情報とを検知部１３に送る。
【０１６４】
以下では、一方の液晶パネル（たとえば液晶パネル１４０）の表示領域に画像Ａが表示され、他方の液晶パネル（たとえば液晶パネル２４０）の表示領域に画像Ｂが表示されている場合について説明する。また、上記一方の液晶パネルの表示領域を、「第１表示領域」と称する。さらに、上記他方の液晶パネルの表示領域を、「第２表示領域」と称する。なお、画像Ａおよび画像Ｂは、各表示領域の全体に表示されていてもよいし、一部に表示されていてもよい。電子機器１００は、第１表示領域および第２表示領域のそれぞれに、１つ以上のウィンドウを表示する。画像Ａおよび画像Ｂは、たとえば、ウィンドウ内に表示される。
【０１６５】
データ受付部１２は、液晶パネル１４０，２４０から上述したスキャンデータを受付ける。データ受付部１２は、受信したスキャンデータを、表示制御部１１および検知部１３に送る。
【０１６６】
スタイラスペンやユーザの指９００などが液晶パネル１４０，２４０の表示領域に接触した場合、当該接触位置に選択可能な画像が表示されているとき、検知部１３は、上記スキャンデータと上記位置情報とに基づき、当該画像が選択されたことを検知する。
【０１６７】
たとえば画像Ａがリンク先（以下、「リンク先Ａ」と称する）を特定する画像を含んでいる場合、当該画像の表示位置にスタイラスペン等が接触したとき、検知部１３は、当該リンク先Ａを特定する画像が選択されたことを検知する。検知部１３は、リンク先Ａを特定する画像が選択されたことを示すデータを、表示制御部１１に送る。第２表示領域に画像Ｂが表示された状態で、リンク先Ａを特定する画像が選択されたことが検知された場合、表示制御部１１は、第２表示領域に表示させる画像を、上記画像Ｂからリンク先Ａの画像に切換える。なお、画像Ａ、画像Ｂ、リンク先Ａの画像は、たとえば、ウェブページである。リンク先Ａを特定する画像の具体例については、後述する（図１６等）。
【０１６８】
第２表示領域に表示されたリンク先Ａの画像にリンク先（以下、「リンク先Ｂ」と称する）を特定する画像が含まれている場合、当該画像の表示位置にスタイラスペン等が接触したとき、検知部１３は、当該リンク先Ｂを特定する画像が選択されたことをさらに検知する。第１表示領域に画像Ａが表示された状態で、リンク先Ｂを特定する画像が選択されたことが検知された場合、表示制御部１１は、第１表示領域に表示させる画像を、上記画像Ａからリンク先Ｂの画像に切換える。なお、リンク先Ｂの画像は、たとえば、ウェブページである。
【０１６９】
上記においては、表示制御部１１が、まず第２表示領域に表示させる画像を切換え、次いで第１表示領域に表示させる画像を切換える例を挙げて説明した。しかしながら、この順序による切換えは一例であって、切換えは当該順序に限定されるものではない。また、切換えの回数も、２回に限定されるものではない。当該切換え回数は、３回以上であってもよい。
【０１７０】
なお、以下では、画像Ａ、画像Ｂ、リンク先Ａの画像、およびリンク先Ｂの画像がともに、ウェブページであるとして説明する。
【０１７１】
＜画面遷移例＞
図１６は、液晶パネル１４０の表示領域にウェブページＷＰ１１が表示され、液晶パネル２４０の表示領域にウェブページＷＰ１２が表示された状態を示した図である。図１６を参照して、ウェブページＷＰ１１のユニフォームリソースロケータ（ＵＲＬ：Uniform Resource Locator）は、文字列「http://www.xyxy.co.jp/index.html」で示される。ウェブページＷＰ１２のユニフォームリソースロケータは、文字列「http://www.yyysearch」で示される。ウェブページＷＰ１１は、リンク先を特定する画像として、たとえば画像ＬＮ１１〜ＬＮ１４を含む。なお、以下では、ユニフォームリソースロケータを「ＵＲＬ」と表記する。
【０１７２】
図１７は、図１６の状態で画像ＬＮ１２が選択されたことを検知した場合において、各液晶パネル１４０，２４０の表示領域に表示される内容を示した図である。図１７を参照して、電子機器１００は、液晶パネル２４０の表示領域に表示させる画像を、ウェブページＷＰ１２から、画像ＬＮ１２に対応するリンク先のウェブページＷＰ１３に切換える。ウェブページＷＰ１３は、リンク先を特定する画像として、たとえば画像ＬＮ２１〜ＬＮ２６を含む。
【０１７３】
図１８は、図１７の状態で画像ＬＮ２２が選択されたことを検知した場合において、各液晶パネル１４０，２４０の表示領域に表示される内容を示した図である。図１８を参照して、電子機器１００は、液晶パネル１４０の表示領域に表示させる画像を、ウェブページＷＰ１１から、画像ＬＮ２２に対応するリンク先のウェブページＷＰ１４に切換える。
【０１７４】
＜処理フロー＞
図１９は、電子機器１００の処理のフローを示したフローチャートである。具体的には、図１９は、図１６から図１８で示した画面遷移の処理を示したフローチャートである。
【０１７５】
図１９を参照して、ステップＳ１において、電子機器１００は、液晶パネル１４０の表示領域にウェブページＷＰ１１を表示する。ステップＳ３において、電子機器１００は、液晶パネル２４０の表示領域にウェブページＷＰ１２を表示する。
【０１７６】
ステップＳ５において、ウェブページＷＰ１１内に表示されたリンク先を特定する画像ＬＮ１２の表示位置にスタイラスペン等が接触した場合、電子機器１００は、当該画像ＬＮ１２が選択されたことを検知する。ステップＳ７において、電子機器１００は、液晶パネル２４０に表示させる画像を、ウェブページＷＰ１２から、選択された画像ＬＮ１２に対応するリンク先のウェブページＷＰ１３に切換える。
【０１７７】
ステップＳ９において、ウェブページＷＰ１３内に表示されたリンク先を特定する画像ＬＮ２２の表示位置にスタイラスペン等が接触した場合、電子機器１００は、当該画像ＬＮ２２が選択されたことを検知する。ステップＳ１１において、電子機器１００は、液晶パネル１４０に表示させる画像を、ウェブページＷＰ１１から、選択された画像ＬＮ２２に対応するリンク先のウェブページＷＰ１４に切換える。
【０１７８】
＜まとめ＞
以上のように、電子機器１００は、第１リンク先（たとえばリンク先Ａ）を特定する画像を含む第１画像（たとえば画像Ａ）を第１表示領域（たとえば液晶パネル１４０の表示領域）に表示させ、第２画像（たとえば画像Ｂ）を第２表示領域（たとえば液晶パネル２４０の表示領域）に表示させる表示制御部１１を備える。また、電子機器１００は、当該第１リンク先を特定する画像が選択されたことを検知する検知部１３を備える。第２表示領域に第２画像が表示された状態で、第１リンク先を特定する画像が選択されたことが検知された場合、表示制御部１１は、第２表示領域に表示させる画像を、第２画像から前記第１リンク先の画像に切換える。このように、表示制御部１１は、第１リンク先を特定する画像が選択されたことが検知された場合、第１リンク先の画像を取得して第２表示領域に表示されている第２画像を第１リンク先の画像に切換えて表示させる。
【０１７９】
したがって、第１表示領域において第１リンク先を特定する画像が選択された場合、電子機器１００は、第２画像が表示されている第２表示領域に、当該第２画像の代わりに当該第１リンク先の画像を表示することができる。
【０１８０】
第１リンク先の画像に第２リンク先（たとえばリンク先Ｂ）を特定する画像が含まれている場合、検知部１３は、当該第２リンク先を特定する画像が選択されたことをさらに検知する。第１表示領域に第１画像が表示された状態で、第２リンク先を特定する画像が選択されたことが検知された場合、表示制御部１１は、第１表示領域に表示させる画像を、第１画像から第２リンク先の画像に切換える。このように、表示制御部１１は、第２リンク先を特定する画像が選択されたことが検知された場合、第２リンク先の画像を取得して第２表示領域に表示されている第１画像を第２リンク先の画像に切換えて表示させる。
【０１８１】
したがって、電子機器１００は、第１画像が表示されている第１表示領域に、当該第１画像の代わりに上記第２リンク先の画像を表示させることができる。
【０１８２】
第１画像および第２画像は、それぞれウェブページである。したがって、電子機器１００は、ＷＷＷ（World Wide Web）に存在する個々の文書を表示対象とできる。
【０１８３】
＜＜具体的な第２実現例＞＞
第２実現例の電子機器２０００（図２０参照）は、一方の液晶パネルの表示領域に表示されたリンク先を特定する画像が選択されたことを検知すると、後述する判断部１４（図２０参照）の判断結果に従って、当該液晶パネルの表示領域に当該リンク先の画像を表示するか、あるいは他方の液晶パネルの表示領域に当該リンク先の画像を表示するかを決定する。そして、電子機器２０００は、当該決定に従って、いずれか一方の液晶パネルの表示領域にリンク先の画像を表示する。以下、当該電子機器２０００の詳細な構成について説明する。
【０１８４】
＜機能ブロック＞
図２０は、電子機器１００の機能を一部変更した電子機器２０００の機能ブロックを示した図である。図２０を参照して、電子機器２０００は、制御部１０Ａと、記憶装置９０と、液晶パネル１４０，２４０とを備える。制御部１０Ａは、表示制御部１１Ａと、データ受付部１２と、検知部１３Ａと、判断部１４とを備える。
【０１８５】
表示制御部１１Ａは、記憶装置９０内のＶＲＡＭ（図示せず）に格納された画像データに基づき、液晶パネル１４０,２４０の表示領域に画像を表示させる。表示制御部１１Ａは、液晶パネル１４０の表示領域において表示されている画像の当該表示領域での位置を示した位置情報と、液晶パネル２４０の表示領域において表示されている画像の当該表示領域での位置を示した位置情報とを、検知部１３Ａに送る。
【０１８６】
以下では、上述した具体的な第１実現例と同様、一方の液晶パネル（たとえば液晶パネル１４０）の表示領域に画像Ａが表示され、他方の液晶パネル（たとえば液晶パネル２４０）の表示領域に画像Ｂが表示されている場合について説明する。また、上記一方の液晶パネルの表示領域を、「第１表示領域」と称する。さらに、上記他方の液晶パネルの表示領域を、「第２表示領域」と称する。なお、画像Ａおよび画像Ｂは、各表示領域の全体に表示されていてもよいし、一部に表示されていてもよい。画像Ａおよび画像Ｂは、たとえば、ウィンドウ内に表示される。
【０１８７】
スタイラスペンやユーザの指９００などが液晶パネル１４０，２４０の表示領域に接触した場合、当該接触位置に選択可能な画像が表示されているとき、検知部１３Ａは、上記スキャンデータと上記位置情報とに基づき、当該画像が選択されたことを検知する。
【０１８８】
画像Ａがリンク先を特定する画像を含んでいる場合、当該画像の表示位置にスタイラスペン等が接触したとき、検知部１３Ａは、上記スキャンデータと上記位置情報とに基づき、当該リンク先を特定する画像が選択されたことを検知する。検知部１３Ａは、リンク先を特定する画像が選択されたことを示すデータを、表示制御部１１Ａに送る。
【０１８９】
さらに、検知部１３Ａは、選択された画像を特定するための情報を判断部１４に送る。リンク先を特定する画像として、たとえばリンク先Ａを特定する画像Ｃとリンク先Ｂを特定する画像Ｄとが含まれている場合、検知部１３Ａが当該画像Ｄが選択されたことを検知すると、検知部１３Ａは画像Ｄを特定するための情報を判断部１４に送る。
【０１９０】
判断部１４は、画像Ａが属するグループを特定する第１識別子と、上記リンク先の画像が属するグループを特定する第２識別子とに基づき、画像Ａが属する第１グループとリンク先の画像が属する第２グループとが同じグループであるか否かを判断する。なお、判断部１４は、リンク先を特定する画像が選択されたことを検知する前に当該判断を行なってもよいし、あるいは当該検知後に当該判断を行なってもよい。
【０１９１】
第１グループおよび第２グループは、たとえば、ウェブサイトである。第１グループおよび第２グループがウェブサイトである場合、第１識別子および第２識別子は、たとえば、ＵＲＬである。
【０１９２】
判断部１４は、第１識別子であるＵＲＬにおけるホスト名と、第２識別子であるＵＲＬにおけるホスト名とに基づき、画像Ａが属する第１グループとリンク先の画像が属する第２グループとが同じグループであるか否かを判断する。なお、ホスト名とは、リソースが保管されている機器を示す名称である。たとえば、ウェブページＷＰ１１のＵＲＬ「http://www.xyxy.co.jp/index.html」においては、文字列「www.xyxy.co.jp」がホスト名に該当する。
【０１９３】
リンク先を特定する画像が選択されたことが検知された場合、第１グループと第２グループとが同じグループであると判断されると、表示制御部１１Ａは、第２表示領域に表示させる画像を、画像Ｂからリンク先の画像に切換える。一方、第１グループと第２グループとが同じグループでないと判断されると、表示制御部１１Ａは、第１表示領域に表示させる画像を、画像Ａからリンク先の画像に切換える。
【０１９４】
なお、画像Ｂにリンク先を特定する画像が含まれている場合において、当該画像の表示位置にスタイラスペン等が接触したときも、電子機器２０００は、画像Ａにリンク先を特定する画像が含まれている場合の処理と同様な処理を行う。
【０１９５】
また、切換えの回数は、１回に限定されるものではない。すなわち、切換え処理が一度行なわれた後に、検知部１３Ａがリンク先を特定する画像の選択を新たに検知した場合、電子機器２０００は、切換え処理を再度行うことが好ましい。なお、当該切換え処理の回数は、３回以上であってもよい。
【０１９６】
なお、以下では、画像Ａ、画像Ｂ、およびリンク先の画像がウェブページであるとして説明する。また、第１グループおよび第２グループは、ウェブサイトであるとして説明する。さらに、第１識別子および第２識別子は、ＵＲＬとして説明する。
【０１９７】
＜画面遷移例＞
図２１は、液晶パネル１４０の表示領域にウェブページＷＰ１１が表示され、液晶パネル２４０の表示領域にウェブページＷＰ１２が表示された状態を示した図である。図２１を参照して、画像ＬＮ３１，Ｌ３２は、リンク先を特定する画像である。
【０１９８】
図２２は、図２１の状態で画像ＬＮ３１が選択されたことを検知した場合において、各液晶パネル１４０，２４０の表示領域に表示される内容を示した図である。図２２を参照して、電子機器２０００は、液晶パネル２４０の表示領域に表示させる画像を、ウェブページＷＰ１２から、画像ＬＮ３１に対応するリンク先のウェブページＷＰ２１に切換える。
【０１９９】
このように、液晶パネル２４０の表示領域に表示させる画像を切換え、液晶パネル１４０の表示領域に表示させる画像を切換えない理由は、以下のとおりである。画像ＬＮ３１に対応するリンク先のウェブページＷＰ２１のＵＲＬは、文字列「http://www.xyxy.co.jp/corporate/news/08123.html」で示される。一方、液晶パネル１４０の表示領域に表示されているウェブページＷＰ１１のＵＲＬは、上述したとおり、文字列「http://www.xyxy.co.jp/index.html」で示される。したがって、判断部１４は、ＵＲＬ「http://www.xyxy.co.jp/corporate/news/08123.html」におけるホスト名と、ＵＲＬ「http://www.xyxy.co.jp/index.html」におけるホスト名とが同じであると判断する。この結果、表示制御部１１Ａは、液晶パネル２４０の表示領域に表示させる画像を切換える。
【０２００】
図２３は、図２１の状態で画像ＬＮ３２が選択されたことを検知した場合において、各液晶パネル１４０，２４０の表示領域に表示される内容を示した図である。図２３を参照して、電子機器２０００は、液晶パネル１４０の表示領域に表示させる画像を、ウェブページＷＰ１１から、画像ＬＮ３２に対応するリンク先のウェブページＷＰ２２に切換える。
【０２０１】
このように、液晶パネル１４０の表示領域に表示させる画像を切換え、液晶パネル２４０の表示領域に表示させる画像を切換えない理由は、以下のとおりである。画像ＬＮ３２に対応するリンク先のウェブページＷＰ２２のＵＲＬは、文字列「http://www.abcde.co.jp/index.html」で示される。一方、液晶パネル１４０の表示領域に表示されているウェブページＷＰ１１のＵＲＬは、上述したとおり、文字列「http://www.xyxy.co.jp/index.html」で示される。したがって、判断部１４は、ＵＲＬ「http://www.abcde.co.jp/index.html」におけるホスト名「www.abcde.co.jp」と、ＵＲＬ「http://www.xyxy.co.jp/index.html」におけるホスト名「www.xyxy.co.jp」とが同じでないと判断する。この結果、表示制御部１１Ａは、液晶パネル１４０の表示領域に表示させる画像を切換える。
【０２０２】
＜処理フロー＞
図２４は、電子機器２０００の処理のフローを示したフローチャートである。具体的には、図２４は、図２１から図２３で示した画面遷移の処理を示したフローチャートである。
【０２０３】
図２４を参照して、ステップＳ２１において、電子機器２０００は、液晶パネル１４０の表示領域にウェブページＷＰ１１を表示する。ステップＳ２３において、電子機器２０００は、液晶パネル２４０の表示領域にウェブページＷＰ１２を表示する。ステップＳ２５において、ウェブページＷＰ１１内に表示されたリンク先を特定する画像の表示位置にスタイラスペン等が接触した場合、電子機器２０００は、当該画像が選択されたことを検知する。
【０２０４】
ステップＳ２７において、電子機器２０００は、ウェブページＷＰ１１が属するウェブサイトと、選択された画像に対応するリンク先のウェブページが属するウェブサイトとが同じサイトか否かを判断する。同じサイトであると判断された場合（Ｓ２７においてＹＥＳ）、ステップＳ２９において、電子機器２０００は、液晶パネル２４０の表示領域に表示させる画像を、ウェブページＷＰ１２から、選択された画像（たとえば画像ＬＮ３１）に対応するウェブページ（たとえばウェブページＷＰ２１）に切換える。一方、同じサイトでないと判断された場合（Ｓ２７においてＮＯ）、ステップＳ３１において、電子機器２０００は、液晶パネル１４０の表示領域に表示させる画像を、ウェブページＷＰ１１から、選択された画像に対応するウェブページに切換える。
【０２０５】
＜まとめ＞
以上のように、電子機器２０００は、リンク先を特定する画像を含む第１画像（たとえば画像Ａ）を第１表示領域（たとえば液晶パネル１４０の表示領域）に表示させ、第２画像（たとえば画像Ｂ）を第２表示領域（たとえば液晶パネル２４０の表示領域）に表示させる表示制御部１１Ａを備える。また、電子機器２０００は、当該リンク先を特定する画像が選択されたことを検知する検知部１３Ａを備える。さらに、電子機器２０００は、第１画像が属するグループを特定する第１識別子と上記リンク先の画像が属するグループを特定する第２識別子とに基づき、第１画像が属する第１グループとリンク先の画像が属する第２グループとが同じグループであるか否かを判断する判断部１４を備える。
【０２０６】
リンク先を特定する画像が選択されたことが検知された場合、第１グループと第２グループとが同じグループであると判断されたとき、表示制御部１１Ａは、第２表示領域に表示させる画像を、第２画像から前記リンク先の画像に切換える。このように、判断部１４における判断にて、第１グループと第２グループとが同じグループであると判断されると、表示制御部１１Ａは、リンク先の画像を取得して第２表示領域に表示されている画像を、第２画像から当該リンク先の画像に切換えて表示を行わせる。一方、第１グループと第２グループとが同じグループでないと判断されたとき、表示制御部１１Ａは、第１表示領域に表示させる画像を、第１画像から前記リンク先の画像に切換える。このように、判断部１４における判断にて、第１グループと第２グループとが同じグループでないと判断されると、表示制御部１１Ａは、リンク先の画像を取得して第１表示領域に表示されている画像を、第１画像から当該リンク先の画像に切換えて表示させる。
【０２０７】
したがって、第１表示領域においてリンク先を特定する画像が選択された場合、第１グループと第２グループとが同じグループであるときには、電子機器２０００は、第２画像が表示されている第２表示領域に、当該第２画像の代わりに当該リンク先の画像を表示することができる。
【０２０８】
さらに、電子機器２０００は、第１画像が属する第１グループとリンク先の画像が属する第２グループとが同じグループであるか否かに応じて、当該リンク先の画像を表示する表示領域を変更できる。同じグループである場合には、電子機器２０００は、第１画像とリンク先の画像とを互い異なる表示領域において表示する。このため、ユーザは、関連性の高い２つの画像を視認可能となる。一方、同じグループでない場合には、電子機器２０００は、第１表示領域において第１画像の代わりにリンク先の画像を表示する。したがって、ユーザは、視認することを直近に希望した画像（つまりリンク先の画像）を、第１画像が表示されていた第１表示領域で視認することができる。それゆえ、ユーザは、リンク先が第２表示領域に表示される場合に比べ、目線の移動量が少なくて済む。
【０２０９】
第１画像および第２画像は、それぞれウェブページであり、第１識別子および第２識別子は、それぞれユニフォームリソースロケータである。したがって、電子機器２０００は、ＷＷＷに存在する個々の文書を表示対象とできる。
【０２１０】
判断部１４は、第１識別子であるユニフォームリソースロケータにおけるホスト名と、第２識別子であるユニフォームリソースロケータにおけるホスト名とに基づき、第１画像が属する第１グループとリンク先の画像が属する第２グループとが同じグループであるか否かを判断する。したがって、電子機器２０００は、ＷＷＷに存在する個々の文書について、グループの異同を判断できる。
【０２１１】
また、表示制御部１１Ａの構成を以下のとおりとしてもよい。つまり、判断部１４における判断にて、第１グループと第２グループとが同じグループであると判断されると、表示制御部１１Ａは、リンク先の画像を取得して第１表示領域に表示されている画像を、第１画像から当該リンク先の画像に切換えて表示させる。一方、判断部１４における判断にて、第１グループと第２グループとが同じグループでないと判断されると、リンク先の画像を取得して第２表示領域に表示されている画像を、第２画像から当該リンク先の画像に切換えて表示を行わせる。
【０２１２】
このような構成によれば、同じグループである場合には、電子機器２０００は、第１表示領域において第１画像の代わりにリンク先の画像を表示する。したがって、ユーザは、視認することを直近に希望した画像（つまりリンク先の画像）を、第１画像が表示されていた第１表示領域で視認することができる。それゆえ、ユーザは、リンク先が第２表示領域に表示される場合に比べ、目線の移動量が少なくて済む。一方、同じグループでない場合には、電子機器２０００は、第１画像とリンク先の画像とを互い異なる表示領域において表示する。このため、ユーザは、同じグループに属さない画像同士を対比可能となる。
【０２１３】
＜＜具体的な第３実現例＞＞
第３実現例の電子機器２５００（図２５参照）は、一方の液晶パネルの表示領域に表示されたリンク先を特定する画像が選択されたことを検知すると、後述する判断部１４Ａ（図２５参照）の判断結果に従って、当該液晶パネルの表示領域に当該リンク先の画像を表示するか、あるいは他方の液晶パネルの表示領域に当該リンク先の画像を表示するかを決定する。そして、電子機器２５００は、当該決定に従って、いずれか一方の液晶パネルの表示領域にリンク先の画像を表示する。以下、当該電子機器２５００の詳細な構成について説明する。
【０２１４】
＜機能ブロック＞
図２５は、電子機器１００の機能を一部変更した電子機器２５００の機能ブロックを示した図である。図２５を参照して、電子機器２５００は、制御部１０Ｂと、記憶装置９０と、液晶パネル１４０，２４０とを備える。制御部１０Ｂは、表示制御部１１Ｂと、データ受付部１２と、検知部１３Ａと、判断部１４Ａとを備える。
【０２１５】
表示制御部１１Ｂは、記憶装置９０内のＶＲＡＭ（図示せず）に格納された画像データに基づき、液晶パネル１４０,２４０の表示領域に画像を表示させる。表示制御部１１Ｂは、液晶パネル１４０の表示領域において表示されている画像の当該表示領域での位置を示した位置情報と、液晶パネル２４０の表示領域において表示されている画像の当該表示領域での位置を示した位置情報とを、検知部１３Ａに送る。
【０２１６】
以下では、上述した具体的な第１実現例および第２実現例と同様、一方の液晶パネル（たとえば液晶パネル１４０）の表示領域に画像Ａが表示され、他方の液晶パネル（たとえば液晶パネル２４０）の表示領域に画像Ｂが表示されている場合について説明する。また、上記一方の液晶パネルの表示領域を、「第１表示領域」と称する。さらに、上記他方の液晶パネルの表示領域を、「第２表示領域」と称する。なお、画像Ａおよび画像Ｂは、各表示領域の全体に表示されていてもよいし、一部に表示されていてもよい。画像Ａおよび画像Ｂは、たとえば、ウィンドウ内に表示される。
【０２１７】
画像Ａがリンク先を特定する画像を含んでいる場合、当該画像の表示位置にスタイラスペン等が接触したとき、検知部１３Ａは、上記スキャンデータと上記位置情報とに基づき、当該リンク先を特定する画像が選択されたことを検知する。
【０２１８】
判断部１４Ａは、画像Ａが格納されている場所を示した第１識別子と、リンク先の画像が格納されている場所を示した第２識別子とに基づき、当該リンク先の画像が格納されている場所の階層が画像Ａが格納されている場所の階層より上位の階層であるか否かを判断する。判断部１４Ａは、リンク先を特定する画像が選択されたことを検知する前に当該判断を行なってもよいし、あるいは当該検知後に当該判断を行なってもよい。
【０２１９】
第１識別子および第２識別子は、たとえばＵＲＬである。判断部１４は、第１識別子であるＵＲＬにおける、ホスト名およびパス名と、第２識別子であるＵＲＬにおける、ホスト名およびパス名とに基づき、リンク先の画像の階層が画像Ａの階層より上位の階層であるか否かを判断する。なお、パス名とは、ＵＲＬにおいてホスト名に続いて記述される文字列である。パス名は、ディレクトリ名を含む。たとえば、ウェブページＷＰ２１のＵＲＬ「http://www.xyxy.co.jp/corporate/news/08123.html」においては、文字列「corporate/news/08123.html」がパス名に該当する。
【０２２０】
リンク先の画像が格納されている場所の階層が画像Ａが格納されている場所の階層より上位の階層であると判断された場合、表示制御部１１Ｂは、第１表示領域に表示させる画像を、画像Ａからリンク先の画像に切換える。一方、リンク先の画像が格納されている場所の階層が画像Ａが格納されている場所の階層より上位の階層でないと判断された場合、表示制御部１１Ｂは、第２表示領域に表示させる画像を、画像Ａからリンク先の画像に切換える。
【０２２１】
なお、画像Ｂにリンク先を特定する画像が含まれている場合において、当該画像の表示位置にスタイラスペン等が接触したときも、上述した、画像Ａにリンク先を特定する画像が含まれている場合の処理と同様な処理を電子機器２５００は行う。
【０２２２】
また、切換えの回数は、１回に限定されるものではない。すなわち、切換え処理が一度行なわれた後に、検知部１３Ａがリンク先を特定する画像の選択を新たに検知した場合、電子機器２５００は、切換え処理を再度行うことが好ましい。なお、当該切換え処理の回数は、３回以上であってもよい。
【０２２３】
なお、以下では、画像Ａ、画像Ｂ、およびリンク先の画像がウェブページであるとして説明する。さらに、第１識別子および第２識別子は、ＵＲＬとして説明する。
【０２２４】
＜画面遷移例＞
図２６は、液晶パネル１４０の表示領域にウェブページＷＰ３１が表示され、液晶パネル２４０の表示領域にウェブページＷＰ１２が表示された状態を示した図である。図２６を参照して、ウェブページＷＰ３１のＵＲＬは、文字列「http://www.xyxy.co.jp/products/index.html」で示される。ウェブページＷＰ３１は、リンク先を特定する画像として、たとえば画像ＬＮ４１〜ＬＮ４５を含む。
【０２２５】
図２７は、図２６の状態で画像ＬＮ４１が選択されたことを検知した場合において、各液晶パネル１４０，２４０の表示領域に表示される内容を示した図である。図２７を参照して、電子機器２５００は、液晶パネル１４０の表示領域に表示させる画像を、ウェブページＷＰ３１から、画像ＬＮ４１に対応するリンク先のウェブページＷＰ１１に切換える。このように、液晶パネル１４０の表示領域に表示させる画像を切換え、液晶パネル２４０の表示領域に表示させる画像を切換えない理由は、以下のとおりである。
【０２２６】
画像ＬＮ４１に対応するリンク先のウェブページＷＰ１１のＵＲＬは、文字列「http://www.xyxy.co.jp/index.html」で示される。一方、液晶パネル１４０の表示領域に表示されているウェブページＷＰ３１のＵＲＬは、文字列「http://www.xyxy.co.jp/products/index.html」で示される。
【０２２７】
そこで、判断部１４Ａは、ＵＲＬ「http://www.xyxy.co.jp/index.html」におけるホスト名「www.xyxy.co.jp」およびパス名「index.html」と、ＵＲＬ「http://www.xyxy.co.jp/products/index.html」におけるホスト名「www.xyxy.co.jp」およびパス名「products/index.html」とに基づいて、リンク先のウェブページＷＰ１１の階層がウェブページＷＰ３１の階層より上位の階層であるか否かを判断する。ＵＲＬ「http://www.xyxy.co.jp/index.html」とＵＲＬ「http://www.xyxy.co.jp/products/index.html」とは、ホスト名が同じである。パス名「index.html」とパス名「products/index.html」とを比較すると、ディレクトリ構造において、パス名「index.html」の方がパス名「products/index.html」よりも上位の階層である。
【０２２８】
したがって、電子機器２５００は、リンク先のウェブページＷＰ１１の階層がウェブページＷＰ３１の階層より上位の階層であると判断する。この結果、表示制御部１１Ｂは、液晶パネル１４０の表示領域に表示させる画像を切換える。
【０２２９】
図２８は、図２６の状態で画像ＬＮ４２が選択されたことを検知した場合において、各液晶パネル１４０，２４０の表示領域に表示される内容を示した図である。図２８を参照して、電子機器２５００は、液晶パネル２４０の表示領域に表示させる画像を、ウェブページＷＰ１２から、画像ＬＮ４２に対応するリンク先のウェブページＷＰ３２に切換える。このように、液晶パネル２４０の表示領域に表示させる画像を切換え、液晶パネル１４０の表示領域に表示させる画像を切換えない理由は、以下のとおりである。
【０２３０】
画像ＬＮ４２に対応するリンク先のウェブページＷＰ３２のＵＲＬは、文字列「http://www.xyxy.co.jp/products/menu/av/index.html」で示される。一方、液晶パネル１４０の表示領域に表示されているウェブページＷＰ３１のＵＲＬは、上述したとおり、文字列「http://www.xyxy.co.jp/products/index.html」で示される。
【０２３１】
そこで、判断部１４Ａは、ＵＲＬ「http://www.xyxy.co.jp/products/menu/av/index.html」におけるホスト名「www.xyxy.co.jp」およびパス名「products/menu/av/index.html」と、ＵＲＬ「http://www.xyxy.co.jp/products/index.html」におけるホスト名「www.xyxy.co.jp」およびパス名「products/index.html」とに基づいて、リンク先のウェブページＷＰ３２の階層がウェブページＷＰ３１の階層より上位の階層であるか否かを判断する。ＵＲＬ「http://www.xyxy.co.jp/products/menu/av/index.html」とＵＲＬ「http://www.xyxy.co.jp/products/index.html」とは、ホスト名が同じである。パス名「products/menu/av/index.html」とパス名「products/index.html」とを比較すると、ディレクトリ構造において、パス名「products/index.html」の方がパス名「products/menu/av/index.html」よりも上位の階層である。
【０２３２】
したがって、電子機器２５００は、リンク先のウェブページＷＰ３２の階層がウェブページＷＰ３１の階層より上位の階層でないと判断する。この結果、表示制御部１１Ｂは、液晶パネル２４０の表示領域に表示させる画像を切換える。
【０２３３】
＜処理フロー＞
図２９は、電子機器２５００の処理のフローを示したフローチャートである。具体的には、図２９は、図２６から図２８で示した画面遷移の処理を示したフローチャートである。
【０２３４】
図２９を参照して、ステップＳ４１において、電子機器２５００は、液晶パネル１４０の表示領域にウェブページＷＰ３１を表示する。ステップＳ４３において、電子機器２５００は、液晶パネル２４０の表示領域にウェブページＷＰ１２を表示する。ステップＳ４５において、ウェブページＷＰ３１内に表示されたリンク先を特定する画像の表示位置にスタイラスペン等が接触した場合、電子機器２０００は、当該画像が選択されたことを検知する。
【０２３５】
ステップＳ４７において、電子機器２５００は、選択された画像に対応するリンク先のウェブページの階層がウェブページＷＰ３１の階層より上位の階層であるか否かを判断する。上位の階層であると判断された場合（Ｓ４７においてＹＥＳ）、ステップＳ４９において、電子機器２５００は、液晶パネル１４０の表示領域に表示させる画像を、ウェブページＷＰ３１から、選択された画像（たとえば画像ＬＮ４１）に対応するリンク先のウェブページ（たとえばウェブページＷＰ１１）に切換える。上位の階層でないと判断された場合（Ｓ４７においてＮＯ）、ステップＳ５１において、電子機器２５００は、液晶パネル２４０の表示領域に表示させる画像を、ウェブページＷＰ１２から、選択された画像（たとえば画像ＬＮ４２）に対応するリンク先のウェブページ（たとえばウェブページＷＰ３２）に切換える。
【０２３６】
＜まとめ＞
以上のように、電子機器２５００は、リンク先を特定する画像を含む第１画像（たとえば画像Ａ）を第１表示領域（たとえば液晶パネル１４０の表示領域）に表示させ、第２画像（たとえば画像Ｂ）を第２表示領域（たとえば液晶パネル２４０の表示領域）に表示させる表示制御部１１Ｂを備える。また、電子機器２５００は、当該リンク先を特定する画像が選択されたことを検知する検知部１３Ａを備える。さらに、電子機器２５００は、第１画像が格納されている場所を示した第１識別子と上記リンク先の画像が格納されている場所を示した第２識別子とに基づき、リンク先の画像が格納されている場所の階層が第１画像が格納されている場所の階層より上位の階層であるか否かを判断する判断部１４Ａを備える。
【０２３７】
リンク先の画像が格納されている場所の階層が第１画像が格納されている場所の階層より上位の階層であると判断された場合、表示制御部１１Ｂは、第１表示領域に表示させる画像を、第１画像からリンク先の画像に切換える。このように、表示制御部１１Ｂは、リンク先の画像を取得して第１表示領域に表示させる画像を、第１画像から当該リンク先の画像に切換えて表示を行わせる。一方、リンク先の画像が格納されている場所の階層が第１画像が格納されている場所の階層より上位の階層でないと判断された場合、表示制御部１１Ｂは、第２表示領域に表示させる画像を、第２画像からリンク先の画像に切換える。このように、表示制御部１１Ｂは、リンク先の画像を取得して第２表示領域に表示させる画像を、第２画像から当該リンク先の画像に切換えて表示させる。
【０２３８】
したがって、第１表示領域においてリンク先を特定する画像が選択された場合、リンク先の画像の階層が第１画像の階層より上位の階層でない場合ときには、電子機器２５００は、第２画像が表示されている第２表示領域に、当該第２画像の代わりに当該リンク先の画像を表示することができる。
【０２３９】
さらに、電子機器２５００は、リンク先の画像の階層が第１画像の階層より上位の階層であるか否かに応じて、当該リンク先の画像を表示する表示領域を変更できる。リンク先の画像の階層が第１画像の階層より上位の階層である場合には、電子機器２５００は、第１表示領域において第１画像の代わりにリンク先の画像を表示する。したがって、ユーザは、視認することを直近に希望した、第１画像より上位の階層の画像（つまりリンク先の画像）を、第１画像が表示されていた第１表示領域で視認することができる。それゆえ、ユーザは、リンク先が第２表示領域に表示される場合に比べ、目線の移動量が少なくて済む。一方、リンク先の画像の階層が第１画像の階層より上位の階層でない場合には、電子機器２５００は、第１画像とリンク先の画像とを互い異なる表示領域において表示する。このため、ユーザは、第１画像と当該第１画像の下位の階層の画像とを視認可能となる。
【０２４０】
第１画像および第２画像は、それぞれウェブページであり、第１識別子および第２識別子は、それぞれユニフォームリソースロケータである。したがって、電子機器２５００は、ＷＷＷに存在する個々の文書を表示対象とできる。
【０２４１】
判断部１４Ａは、第１識別子であるユニフォームリソースロケータにおける、ホスト名およびパス名と、第２識別子であるユニフォームリソースロケータにおける、ホスト名およびパス名とに基づき、リンク先の画像の階層が第１画像の階層より上位の階層であるか否かを判断する。したがって、電子機器２５００は、ＷＷＷに存在する個々の文書について、画像（文書）の階層の異同を判断できる。
【０２４２】
＜＜具体的な第４実現例＞＞
第４実現例の電子機器３０００（図３０参照）は、一方の液晶パネルの表示領域に表示されたリンク先を特定する画像が選択されたことを検知すると、当該選択の際における当該表示領域に対するスタイラスペン等の接触の状態に従って、当該液晶パネルの表示領域に当該リンク先の画像を表示するか、あるいは他方の液晶パネルの表示領域に当該リンク先の画像を表示するかを決定する。そして、電子機器３０００は、当該決定に従って、いずれか一方の液晶パネルの表示領域にリンク先の画像を表示する。以下、当該電子機器３０００の詳細な構成について説明する。
【０２４３】
＜機能ブロック＞
図３０は、電子機器１００の機能を一部変更した電子機器３０００の機能ブロックを示した図である。図３０を参照して、電子機器３０００は、制御部１０Ｃと、記憶装置９０と、液晶パネル１４０，２４０とを備える。制御部１０Ｃは、表示制御部１１Ｃと、データ受付部１２と、検知部１３Ｂとを備える。
【０２４４】
表示制御部１１Ｃは、記憶装置９０内のＶＲＡＭ（図示せず）に格納された画像データに基づき、液晶パネル１４０,２４０の表示領域に画像を表示させる。表示制御部１１Ｃは、液晶パネル１４０の表示領域において表示されている画像の当該表示領域での位置を示した位置情報と、液晶パネル２４０の表示領域において表示されている画像の当該表示領域での位置を示した位置情報とを、検知部１３Ｂに送る。
【０２４５】
以下では、上述した具体的な第１実現例〜第３実現例と同様、一方の液晶パネル（たとえば液晶パネル１４０）の表示領域に画像Ａが表示され、他方の液晶パネル（たとえば液晶パネル２４０）の表示領域に画像Ｂが表示されている場合について説明する。また、上記一方の液晶パネルの表示領域を、「第１表示領域」と称する。さらに、上記他方の液晶パネルの表示領域を、「第２表示領域」と称する。なお、画像Ａおよび画像Ｂは、各表示領域の全体に表示されていてもよいし、一部に表示されていてもよい。画像Ａおよび画像Ｂは、たとえば、ウィンドウ内に表示される。
【０２４６】
スタイラスペンやユーザの指９００などが液晶パネル１４０，２４０の表示領域に接触した場合、当該接触位置に選択可能な画像が表示されているとき、検知部１３Ｂは、上記スキャンデータと上記位置情報とに基づき、当該画像が選択されたことを検知する。
【０２４７】
画像Ａにリンク先を特定する画像が含まれている場合、検知部１３Ｂは、当該画像の表示位置にスタイラスペン等が接触したことを検出したとき、上記スキャンデータと上記位置情報とに基づき、当該リンク先を特定する画像が選択されたことを検知する。検知部１３Ｂは、当該接触の状態をさらに検知する。検知部１３Ｂは、リンク先を特定する画像が選択されたことを示すデータを、表示制御部１１Ｃに送る。
【０２４８】
画像Ａにリンク先を特定する画像が含まれている場合であって、上記接触の状態が第１状態であるとき、表示制御部１１Ｃは、第１表示領域に表示させる画像を、画像Ａから前記リンク先の画像に切換える。一方、画像Ａにリンク先を特定する画像が含まれている場合であって、上記接触の状態が第２状態であるとき、表示制御部１１Ｃは、第２表示領域に表示させる画像を、画像Ｂから上記リンク先の画像に切換える。
【０２４９】
上記第１状態および上記第２状態のいずれか一方の状態（たとえば第１状態）は、たとえば、第１表示領域上をスタイラスペン等が第１表示領域に対して相対的に第１方向（たとえば、右方向）に移動した際の接触の状態である。また、上記いずれか一方の状態とは異なる他方の状態（たとえば第２状態）は、たとえば、第１表示領域上をスタイラスペン等が第１表示領域に対して相対的に第２方向（たとえば、左方向）に移動した際の接触の状態、または第１表示領域上においてスタイラスペン等が停止している際の接触の状態である。
【０２５０】
なお、画像Ｂにリンク先を特定する画像が含まれている場合において、当該画像の表示位置にスタイラスペン等が接触したときも、上述した、画像Ａにリンク先を特定する画像が含まれている場合の処理と同様な処理を電子機器３０００は行う。
【０２５１】
また、切換えの回数は、１回に限定されるものではない。すなわち、切換え処理が一度行なわれた後に、検知部１３Ｂがリンク先を特定する画像の選択を新たに検知した場合、電子機器３０００は、切換え処理を再度行うことが好ましい。なお、当該切換え処理の回数は、３回以上であってもよい。
【０２５２】
なお、以下では、画像Ａ、画像Ｂ、およびリンク先の画像がウェブページであるとして説明する。
【０２５３】
＜画面遷移＞
図３１は、液晶パネル１４０にウェブページＷＰ１１が表示され、液晶パネル２４０にウェブページＷＰ１２が表示された状態を示した図である。より詳しくは、図３１は、リンク先を特定する画像ＬＮ１２が表示された領域にスタイラスペン９５０が接触した状態を示した図である。
【０２５４】
検知部１３Ｂは、リンク先を特定する画像ＬＮ１２が選択されたことを検知する。以下、スタイラスペン９５０が、液晶パネル１４０の表示領域上を当該表示領域と接触しつつ、矢印７０１の方向に移動した場合と、矢印７０２の方向に移動した場合とに分けて説明する。
【０２５５】
図３２は、スタイラスペン９５０が矢印７０１の方向に移動した場合に、液晶パネル１４０，２４０の各表示領域に表示される内容を示した図である。図３２を参照して、表示制御部１１Ｃは、液晶パネル１４０の表示領域にウェブページＷＰ１１を表示させ、液晶パネル２４０の表示領域にウェブページＷＰ１３を表示させる。
【０２５６】
図３３は、スタイラスペン９５０が矢印７０２の方向に移動した場合に、液晶パネル１４０，２４０の各表示領域に表示される内容を示した図である。図３３を参照して、表示制御部１１Ｃは、液晶パネル１４０の表示領域にウェブページＷＰ１３を表示させ、液晶パネル２４０の表示領域にウェブページＷＰ１２を表示させる。
【０２５７】
＜処理フロー＞
図３４は、電子機器３０００の処理のフローを示したフローチャートである。具体的には、図３４は、図３１から図３３で示した画面遷移の処理を示したフローチャートである。
【０２５８】
図３４を参照して、ステップＳ６１において、電子機器３０００は、液晶パネル１４０の表示領域にウェブページＷＰ１１を表示する。ステップＳ６３において、電子機器３０００は、液晶パネル２４０の表示領域にウェブページＷＰ１２を表示する。ステップＳ６５において、ウェブページＷＰ１１内に表示されたリンク先を特定する画像ＬＮ１２の表示位置にスタイラスペン等が接触した場合、電子機器３０００は、当該ＬＮ１２が選択されたことを検知する。
【０２５９】
ステップＳ６７において、電子機器３０００は、スタイラスペン９５０の接触の態様が第１状態であるか否かを判断する。第１状態であると判断された場合（Ｓ６７においてＹＥＳ）、ステップＳ６９において、電子機器３０００は、液晶パネル１４０の表示領域に表示させる画像を、ウェブページＷＰ１１から、画像ＬＮ１２に対応するウェブページＷＰ１３に切換える。一方、第１状態でないと判断された場合（Ｓ６７においてＮＯ）、ステップＳ７１において、電子機器３０００は、液晶パネル２４０の表示領域に表示させる画像を、ウェブページＷＰ１２から、画像ＬＮ１２に対応するウェブページＷＰ１３に切換える。
【０２６０】
＜まとめ＞
以上のように、電子機器３０００は、リンク先を特定する画像を含む第１画像（たとえば画像Ａ）を第１表示領域（たとえば液晶パネル１４０の表示領域）に表示させ、第２画像（たとえば画像Ｂ）を第２表示領域（たとえば液晶パネル２４０の表示領域）に表示させる表示制御部１１Ｃを備える。また、電子機器３０００は、当該リンク先を特定する画像が選択されたことを検知する検知部１３Ｂを備える。
【０２６１】
検知部１３Ｂは、第１表示領域における、リンク先を特定する画像が表示された位置に物体（たとえばスタイラスペン９５０）が接触したことを検出することにより、当該リンク先を特定する画像が選択されたことを検知する。さらに、検知部１３Ｂは、上記接触の状態をさらに検知する。接触の状態が第１状態である場合、表示制御部１１Ｃは、第１表示領域に表示させる画像を、第１画像からリンク先の画像に切換える。このように、接触の状態が第１状態である場合、表示制御部１１Ｃは、リンク先の画像を取得して第１表示領域に表示させる画像を、第１画像から当該リンク先の画像に切換えて表示させる。一方、接触の状態が第２状態である場合、表示制御部１１Ｃは、第２表示領域に表示させる画像を、第２画像からリンク先の画像に切換える。このように、接触の状態が第２状態である場合、表示制御部１１Ｃは、リンク先の画像を取得して第２表示領域に表示させる画像を、第２画像からリンク先の画像に切換えて表示させる。
【０２６２】
したがって、第１表示領域においてリンク先を特定する画像が選択された場合、上記接触の状態が第２状態のときには、電子機器３０００は、第２画像が表示されている第２表示領域に、当該第２画像の代わりに当該リンク先の画像を表示することができる。
【０２６３】
さらに、電子機器３０００は、物体の接触の状態に応じて、当該リンク先の画像を表示する表示領域を変更できる。当該接触の状態が第１状態である場合には、電子機器３０００は、第１表示領域において第１画像の代わりにリンク先の画像を表示する。したがって、ユーザは、視認することを直近に希望した画像（つまりリンク先の画像）を、第１画像が表示されていた第１表示領域で視認することができる。それゆえ、ユーザは、リンク先が第２表示領域に表示される場合に比べ、目線の移動量が少なくて済む。一方、接触の状態が第２状態である場合には、電子機器３０００は、第１画像とリンク先の画像とを互い異なる表示領域において表示する。このため、ユーザは、第１画像とリンク先の画像とを視認可能となる。
【０２６４】
上記第１状態および上記第２状態のいずれか一方の状態は、第１表示領域上を上記物体が相対的に第１方向に移動した際の接触の状態である。したがって、ユーザは、第１表示領域上において相対的に第１方向に物体（スタイラスペン９５０や指９００等）を移動させた場合、第１表示領域において第１画像の代わりにリンク先の画像を視認することができる。
【０２６５】
上記いずれか一方の状態とは異なる他方の状態は、第１表示領域上を上記物体が相対的に第２方向に移動した際の接触の状態、または第１表示領域上において上記物体が停止している際の接触の状態である。したがって、ユーザは、第１表示領域上において相対的に第２方向に物体を移動させた場合、あるいは当該物体を移動させなかった場合、第１画像とリンク先の画像とを互い異なる表示領域において視認することができる。
【０２６６】
＜具体的な第４実現例の変形例＞
図３５は、電子機器３０００の機能を一部変更した電子機器３０００Ａの機能ブロックを示した図である。図３５を参照して、電子機器３０００Ａは、制御部１０Ｄと、記憶装置９０と、液晶パネル１４０，２４０とを備える。制御部１０Ｄは、表示制御部１１Ｄと、データ受付部１２と、検知部１３Ｃと、測定部１５とを備える。
【０２６７】
表示制御部１１Ｄは、記憶装置９０内のＶＲＡＭ（図示せず）に格納された画像データに基づき、液晶パネル１４０,２４０の表示領域に画像を表示させる。表示制御部１１Ｄは、液晶パネル１４０の表示領域において表示されている画像の当該表示領域での位置を示した位置情報と、液晶パネル２４０の表示領域において表示されている画像の当該表示領域での位置を示した位置情報とを、検知部１３Ｃに送る。
【０２６８】
以下では、一方の液晶パネル（たとえば液晶パネル１４０）の表示領域に画像Ａが表示され、他方の液晶パネル（たとえば液晶パネル２４０）の表示領域に画像Ｂが表示されている場合について説明する。また、上記一方の液晶パネルの表示領域を、「第１表示領域」と称する。さらに、上記他方の液晶パネルの表示領域を、「第２表示領域」と称する。なお、画像Ａおよび画像Ｂは、各表示領域の全体に表示されていてもよいし、一部に表示されていてもよい。画像Ａおよび画像Ｂは、たとえば、ウィンドウ内に表示される。
【０２６９】
スタイラスペン９５０やユーザの指９００などが液晶パネル１４０，２４０の表示領域に接触した場合、当該接触位置に選択可能な画像が表示されているとき、検知部１３Ｃは、上記スキャンデータと上記位置情報とに基づき、当該画像が選択されたことを検知する。
【０２７０】
画像Ａにリンク先を特定する画像が含まれている場合、当該画像の表示位置にスタイラスペン等が接触したとき、検知部１３Ｃは、上記スキャンデータと上記位置情報とに基づき、当該リンク先を特定する画像が選択されたことを検知する。検知部１３Ｃは、リンク先を特定する画像が選択されたことを示すデータを、表示制御部１１Ｄに送る。さらに、検知部１３Ｃは、検知を開始したことを示す情報を測定部１５に送る。
【０２７１】
測定部１５は、スタイラスペン９５０が、リンク先を特定する画像が表示された位置にスタイラスペン９５０が接触している時間を測定する。測定部１５は、当該時間の情報を表示制御部１１Ｄに送る。
【０２７２】
測定時間が予め定められた時間以上である場合、表示制御部１１Ｄは、第１表示領域に表示させる画像を、画像Ａからリンク先の画像に切換える。一方、測定時間が上記予め定められた時間未満である場合、表示制御部１１Ｄは、第２表示領域に表示させる画像を、画像Ｂからリンク先の画像に切換える。
【０２７３】
なお、画像Ｂにリンク先を特定する画像が含まれている場合において、当該画像の表示位置にスタイラスペン等が接触したときも、上述した、画像Ａにリンク先を特定する画像が含まれている場合の処理と同様な処理を電子機器３０００Ａは行う。
【０２７４】
また、切換えの回数は、１回に限定されるものではない。すなわち、切換え処理が一度行なわれた後に、検知部１３Ｃがリンク先を特定する画像の選択を新たに検知した場合、電子機器３０００Ａは、切換え処理を再度行うことが好ましい。なお、当該切換え処理の回数は、３回以上であってもよい。
【０２７５】
以上のように、電子機器３０００Ａは、上記接触した時間を測定する測定部１５をさらに備える。上記第１状態は、測定された時間が予め定められた時間以上である場合の接触の状態である。上記第２状態は、上記測定された時間が予め定められた時間未満である場合の接触の状態である。
【０２７６】
したがって、ユーザは、たとえばスタイラスペン９５０や指９００等を、第１表示領域上において上記予め定められた時間以上接触させ続けた場合、第１表示領域において第１画像の代わりにリンク先の画像を視認することができる。また、ユーザは、たとえばスタイラスペン９５０や指９００等を、第１表示領域上において上記予め定められた時間以上接触させ続けなかった場合、第１画像とリンク先の画像とを互い異なる表示領域において視認することができる。
【０２７７】
なお、電子機器３０００Ａを、測定時間が上記予め定められた時間以上である場合に、第２表示領域に表示させる画像を画像Ｂからリンク先の画像に切換え、測定時間が上記予め定められた時間未満である場合、第１表示領域に表示させる画像を画像Ａからリンク先の画像に切換える構成に変更してもよい。つまり、上記第１状態が、上記測定された時間が予め定められた時間未満である場合の接触の状態とし、上記第２状態が、測定された時間が予め定められた時間以上である場合の接触の状態としてもよい。
【０２７８】
＜その他＞
ところで、上記の各実現例における画像Ａおよび画像Ｂは、ウェブページに限定されず、ハイパーテキストといった仕組みにおける文書であればよい。リンクは、ＷＷＷのＵＲＬに限定されず、ハイパーリンクであればよい。
【０２７９】
また、各電子機器は、光センサ内蔵液晶パネル１４０，２４０の代わりに、他の方式のタッチパネルを備えてもよい。当該他の方式のタッチパネルとしては、静電容量方式のタッチパネルや抵抗膜方式のタッチパネル等の様々な方式のタッチパネルが挙げられる。
【０２８０】
また、１つの液晶パネル（たとえば、液晶パネル１４０）の表示領域が、上述した第１表示領域と第２表示領域とを備えていてもよい。つまり、電子機器が、１つの画面における互いに異なる表示領域のうち、一方に第１画像を表示し、他方に第２画像を表示してもよい。たとえば、電子機器が、１つの画面を左右または上下に２分割し、一方の表示領域に第１画像を表示し、他方の領域に第２画像を表示してもよい。
【０２８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２８２】
１０，１０Ａ，１０Ｂ，１０Ｃ，１０Ｄ  制御部、１１，１１Ａ，１１Ｂ，１１Ｃ，１１Ｄ  表示制御部、１２  データ受付部、１３，１３Ａ，１３Ｂ，１３Ｃ  検知部、１４，１４Ａ  判断部、１５  測定部、９０  記憶装置、１００  電子機器、１４０  光センサ内蔵液晶パネル、２４０  光センサ内蔵液晶パネル、９５０  スタイラスペン、２０００  電子機器、２５００  電子機器、３０００  電子機器、３０００Ａ  電子機器。
【図１】
2010176546.tif 000003
【図２】
2010176546.tif 000004
【図３】
2010176546.tif 000005
【図４】
2010176546.tif 000006
【図５】
2010176546.tif 000007
【図６】
2010176546.tif 000008
【図７】
2010176546.tif 000009
【図８】
2010176546.tif 000010
【図９】
2010176546.tif 000011
【図１０】
2010176546.tif 000012
【図１１】
2010176546.tif 000013
【図１２】
2010176546.tif 000014
【図１３】
2010176546.tif 000015
【図１４】
2010176546.tif 000016
【図１５】
2010176546.tif 000017
【図１６】
2010176546.tif 000018
【図１７】
2010176546.tif 000019
【図１８】
2010176546.tif 000020
【図１９】
2010176546.tif 000021
【図２０】
2010176546.tif 000022
【図２１】
2010176546.tif 000023
【図２２】
2010176546.tif 000024
【図２３】
2010176546.tif 000025
【図２４】
2010176546.tif 000026
【図２５】
2010176546.tif 000027
【図２６】
2010176546.tif 000028
【図２７】
2010176546.tif 000029
【図２８】
2010176546.tif 000030
【図２９】
2010176546.tif 000031
【図３０】
2010176546.tif 000032
【図３１】
2010176546.tif 000033
【図３２】
2010176546.tif 000034
【図３３】
2010176546.tif 000035
【図３４】
2010176546.tif 000036
【図３５】
2010176546.tif 000037